(57)【要約】      （修正有）【課題】台座に固定し、又は手で直接に握ることが可能であり、注射器の蓋を挟んで注射針を便利に取除くことが可能であり、ユーザが注射針に傷付けられて感染することを防止することが可能な注射針取除き装置を提供する。【解決手段】ユーザに握られ可能な本体２０と、一端が本体の一端に設けられ、ベース部３１と二つの挟みアーム３２と止め具３５とで構成される挟み空間に、注射器４０の蓋４３を挟むことが可能な挟み具と、を含む。【選択図】図５
0003192815.tif 000002
【実用新案登録請求の範囲】
【請求項１】
ユーザに握られ可能な本体と、
一端が前記本体の一端に設けられており、注射器の蓋を収容することが可能な挟み空間を有し、前記注射器の前記蓋を挟むことが可能な挟み具と、
を含むことを特徴とする注射針取除き装置。
【請求項２】
前記挟み具は、ベース部と、二つの挟みアームと、を含み、前記ベース部は前記本体に設けられており、前記各挟みアームは、一端が押圧部であり、他端が挟み部であり、前記二つの挟み部は前記挟み空間を囲み、前記各挟みアームは、前記ベース部に枢着されており、前記ベース部との枢着箇所が前記押圧部と前記挟み部の間に位置し、前記二つの挟みアームは、それぞれ前記ベース部の両側に位置し、弾性具に付勢され、前記弾性具は、前記挟みアームと前記ベース部の枢着箇所と、前記挟みアームの前記押圧部の間に位置し、前記二つの挟み部は互いに押付けることを特徴とする、請求項１に記載の注射針取除き装置。
【請求項３】
前記各挟み部は凹み円弧面を含み、前記二つの凹み円弧面は互いに対向することを特徴とする、請求項２に記載の注射針取除き装置。
【請求項４】
前記挟み空間は軸方向を有し、前記各凹み円弧面には、条状な突起や溝が複数設けられており、前記各突起や前記各溝の長さ方向は前記軸方向に平行することを特徴とする、請求項３に記載の注射針取除き装置。
【請求項５】
前記本体の台座から遠ざかった一端には、互いに対向する二つの連接平面が成形されており、前記ベース部に凹みが設けられており、前記凹みは前記二つの連接平面をカバーし、前記ベース部は前記本体に締め付けられていることを特徴とする、請求項２に記載の注射針取除き装置。
【請求項６】
前記二つの連接平面は、前記本体の外面のその他の部分よりも低く、その前記台座に近接する一端には、前記連接平面にほぼ垂直する階段面が形成されており、前記二つの階段面に前記ベース部が押付けられており、これにより、前記ベース部は前記本体に対して旋回することができないことを特徴とする、請求項５に記載の注射針取除き装置。
【請求項７】
前記ベース部と前記二つの挟みアームとの下方には、更に、止め具が設けられており、前記止め具は止め部を有し、前記止め部は前記挟み空間の真下に位置し、前記注射器の前記蓋の末端は前記止め部に押付けることが可能であることを特徴とする、請求項２に記載の注射針取除き装置。
【請求項８】
更に、台座を含み、前記本体の前記挟み具から遠ざかった一端は前記台座に設けられており、前記台座は、ベースと、支持枠と、受け具と、を含み、前記支持枠は前記ベースに設けられており、前記受け具は、前記支持枠の前記ベースから遠ざかった一端に脱着可能に設けられており、前記本体は前記受け具に脱着可能に設けられていることを特徴とする、請求項１に記載の注射針取除き装置。
【請求項９】
前記ベースに第１貫通孔が設けられており、前記支持枠は、ロッド状を呈し、前記第１貫通孔に挿通して第１緊迫具に定位され、前記受け具に第２貫通孔が設けられており、前記本体は、ロッド状を呈し、前記第２貫通孔に挿通して第２緊迫具に定位されることを特徴とする、請求項８に記載の注射針取除き装置。
【考案の詳細な説明】
【技術分野】
【０００１】
本考案は、注射針取除き装置に関し、特に、注射器の蓋を挟むことが可能な注射針取除き装置に関するものである。
【背景技術】
【０００２】
ヘルスケアの従業員は、毎日に数多くの注射器を使用する。ヘルスケアの従業員が注射した注射針に傷付けられると、感染される可能性がある。このため、注射針に蓋を被って注射針を取り外すことが極めて重要である。しかし、注射器の注射針は極めて鋭いため、注射器の蓋の開口も極めて小さい。このように、注射針に蓋を被ることは難しい。注射針に蓋を被る過程中に油断すると、ヘルスケアの従業員は注射針に傷付けられる可能性がある。
【０００３】
上記の問題を解決するため、注射器の蓋を挟み可能な挟み装置が提案された。このような挟み装置により、注射針に蓋を被る過程中に、ユーザは前記蓋を手で握ることが必要ないため、注射針に傷付けられることを防止することが可能である。例えば特許文献１の台湾特許ＴＷ３１２１５５号及び特許文献２の台湾特許ＴＷ３６３４２３号が提案された。これらは、ユーザが手で挟み具を握って、前記挟み具は注射器の蓋を挟むことが可能であるが、ユーザは一つの手で操作することができない。特許文献３の台湾特許４７９５２４号の挟み装置は、テーブルなどに固定することが可能であり、ユーザは一つの手で操作することができるが、挟み部の調整可能の角度が限られ、手を使用せずに注射器の蓋を取りたいときには、挟み具と台座を取り外して収集容器に移動して前記蓋を放すことが必要であるため、極めて面倒である。
【先行技術文献】
【特許文献】
【０００４】
【特許文献１】台湾特許ＴＷ３１２１５５号
【特許文献２】台湾特許ＴＷ３６３４２３号
【特許文献３】台湾特許４７９５２４号
【考案の概要】
【考案が解決しようとする課題】
【０００５】
本考案の主な目的は、台座に固定し、又は手で直接に握ることが可能であり、注射器の蓋を挟んで注射針を便利に取除くことが可能な注射針取除き装置を提供することにある。
【課題を解決するための手段】
【０００６】
本考案の注射針取除き装置によると、ユーザに握られ可能な本体と、
一端が本体の一端に設けられており、注射器の蓋を収容することが可能な挟み空間を有し、注射器の蓋を挟むことが可能な挟み具と、
を含むことを特徴とする。
【０００７】
本考案の注射針取除き装置によると、挟み具は、ベース部と、二つの挟みアームと、を含み、ベース部は本体に設けられており、各挟みアームは、一端が押圧部であり、他端が挟み部であり、二つの挟み部は挟み空間を囲み、各挟みアームは、ベース部に枢着されており、ベース部との枢着箇所が押圧部と挟み部の間に位置し、二つの挟みアームは、それぞれベース部の両側に位置し、弾性具に付勢され、弾性具は、挟みアームとベース部の枢着箇所と、挟みアームの押圧部の間に位置し、二つの挟み部は互いに押付けることを特徴とする。
【０００８】
本考案の注射針取除き装置によると、各挟み部は凹み円弧面を含み、二つの凹み円弧面は互いに対向することを特徴とする。
【０００９】
本考案の注射針取除き装置によると、挟み空間は軸方向を有し、各凹み円弧面には、条状な突起や溝が複数設けられており、各突起や各溝の長さ方向は軸方向に平行することを特徴とする。
【００１０】
本考案の注射針取除き装置によると、本体の台座から遠ざかった一端には、互いに対向する二つの連接平面が成形されており、ベース部に凹みが設けられており、凹みは二つの連接平面をカバーし、ベース部は本体に締め付けられていることを特徴とする。
【００１１】
本考案の注射針取除き装置によると、二つの連接平面は、本体の外面のその他の部分よりも低く、その台座に近接する一端には、連接平面にほぼ垂直する階段面が形成されており、二つの階段面にベース部が押付けられており、これにより、ベース部は本体に対して旋回することができないことを特徴とする。
【００１２】
本考案の注射針取除き装置によると、ベース部と二つの挟みアームとの下方には、更に、止め具が設けられており、止め具は止め部を有し、止め部は挟み空間の真下に位置し、注射器の蓋の末端は止め部に押付けることが可能であることを特徴とする。
【００１３】
本考案の注射針取除き装置によると、更に、台座を含み、本体の挟み具から遠ざかった一端は台座に設けられており、台座は、ベースと、支持枠と、受け具と、を含み、支持枠はベースに設けられており、受け具は、支持枠のベースから遠ざかった一端に脱着可能に設けられており、本体は受け具に脱着可能に設けられていることを特徴とする。
【００１４】
本考案の注射針取除き装置によると、ベースに第１貫通孔が設けられており、支持枠は、ロッド状を呈し、第１貫通孔に挿通して第１緊迫具に定位され、受け具に第２貫通孔が設けられており、本体は、ロッド状を呈し、第２貫通孔に挿通して第２緊迫具に定位されることを特徴とする。
【考案の効果】
【００１５】
本考案の注射針取除き装置によれば、台座に固定し、又は手で直接に握ることが可能であり、そしてユーザの必要及び好みによって挟み具と本体との方向を調整することが可能であるため、注射器の蓋を挟んで注射針を便利に取除くことが可能であり、ユーザが注射針に傷付けられて感染することを防止することが可能であるという効果を有する。
【図面の簡単な説明】
【００１６】
【図１】本考案の一実施例を示す斜視図である。
【図２】本考案の一実施例を示す分解斜視図である。
【図３】本考案の一実施例を示す平面図である。
【図４】本考案の挟みアームが開けられている状態を示す平面図である。
【図５】本考案の一実施例の使用状態を示す図である。
【図６】本考案の一実施例の使用状態を示す図である。
【図７】本考案の一実施例の使用状態を示す図である。
【図８】本考案の一実施例の別の使用方式を示す斜視図である。
【図９】本考案の一実施例の別の使用方式の使用状態を示す図である。
【考案を実施するための形態】
【００１７】
以下、本考案の実施の形態を図面に基づいて説明する。
図１から図７を参照する。図１は本考案の一実施例を示す斜視図であり、図２は本考案の一実施例を示す分解斜視図であり、図３は本考案の一実施例を示す平面図であり、図４は本考案の挟みアームが開けられている状態を示す平面図であり、図５から図７は本考案の一実施例の使用状態を示す図である。本考案の一実施例は、注射器４０の蓋４３を固定するためのものであり、蓋４３により注射器４０の注射針４２を取り外すことが可能である。本考案の一実施例は、台座１０と、本体２０と、挟み具３０と、を含む。
【００１８】
本実施例の台座１０は、ベース１１と、支持枠１２と、受け具１３と、を含む。ベース１１は固定手段を有する。前記固定手段により、ベース１１は、テーブル、フレーム、又はこれらに類似するものに固定することが可能である。支持枠１２はベース１１に設けられている。受け具１３は、支持枠１２のベース１１から遠ざかった一端に脱着可能に設けられている。具体的には、ベース１１は第１貫通孔１１１を有する。支持枠１２は、ロッド状を呈し、第１貫通孔１１１に挿通して第１緊迫具１１２に定位される。
【００１９】
本体２０の一端は台座１０に脱着可能に設けられている。本実施例では、本体２０は受け具１３に脱着可能に設けられている。具体的には、受け具１３は第２貫通孔１３１を有する。本体２０は、ロッド状を呈し、第２貫通孔１３１に挿通して第２緊迫具１３２に定位される。
【００２０】
挟み具３０の一端は、本体２０の台座１０から遠ざかった一端に設けられている。挟み具３０は挟み空間を有する。前記挟み空間は、注射器４０の蓋４３を収容することが可能である。蓋４３は挟み具３０に挟まれることが可能である。本実施例では、挟み具３０は、ベース部３１と、二つの挟みアーム３２と、を含む。ベース部３１は本体２０に設けられている。各挟みアーム３２は、一端が押圧部３２１であり、他端が挟み部３２２である。二つの挟み部３２２は前記挟み空間を囲む。各挟みアーム３２は、ベース部３１に枢着されており、ベース部３１との枢着箇所が押圧部３２１と挟み部３２２の間に位置する。二つの挟みアーム３２は、それぞれベース部３１の両側に位置し、弾性具３３に付勢される。弾性具３３は、挟みアーム３２とベース部３１の枢着箇所と、挟みアーム３２の押圧部３２１の間に位置し、二つの挟み部３２２は互いに押付ける。各挟み部３２２は凹み円弧面３２２１を含む。二つの凹み円弧面３２２１は互いに対向する。前記挟み空間は、二つの凹み円弧面３２２１の間に位置し、軸方向を有する。各凹み円弧面３２２１には、条状な突起や溝が複数設けられている。前記各突起や前記各溝の長さ方向は前記軸方向に平行する。これらの前記突起や前記溝により、注射器４０の蓋４３を固定するための摩擦力を増加することが可能である。平常時に、前記挟み空間は、蓋４３の寸法とほぼ同じ、又は蓋４３の寸法よりもやや小さいことが好ましい。このように、ユーザが押圧部３２１を押圧していないときに、蓋４３は前記挟み空間に定位されている。
【００２１】
具体的には、本体２０の台座１０から遠ざかった一端には、互いに対向する二つの連接平面２１が成形されている。ベース部３１に凹み３１１が設けられている。凹み３１１は二つの連接平面２１をカバーする。ベース部３１は本体２０に締め付けられている。二つの連接平面２１は、本体２０の外面のその他の部分よりも低く、その台座１０に近接する一端には、連接平面２１にほぼ垂直する階段面２２が形成されている。二つの階段面２２にベース部３１が押付けられている。このように、ベース部３１は本体２０に対して旋回することができない。ベース部３１は、ほぼコ字形を呈し、凹み３１１から遠ざかった一端に枢着部３１２が設けられている。枢着部３１２に二つの挟みアーム３２が枢着されている。各挟みアーム３２のベース部３１に向く側にアーム部３２３が設けられている。二つのアーム部３２３はベース部３１の枢着部３１２と重ね合って、枢着具３４が二つのアーム部３２３とベース部３１を挿通する。このように、二つのアーム部３２３はベース部３１に枢着されている。凹み３１１の末端の開口と枢着部３１２を結ぶラインを第１方向とする。前記挟み空間の前記軸方向は前記第１方向に垂直する。一方、ベース部３１と二つの挟みアーム３２との下方には、更に、止め具３５が設けられている。止め具３５は止め部３５１を有する。止め部３５は前記挟み空間の真下に位置する。注射器４０の蓋４３の末端は止め部３５に押付けることが可能である。このように、蓋４３は前記挟み空間から落下することを防止することが可能である。
【００２２】
特に説明したいのは、本実施例では、ベース部３１の凹み３１１の底部が本体２０の末端の端部に押付け、前記挟み空間の前記軸方向が本体２０の長さ方向に垂直し、すなわち、挟み具３０と本体２０はほぼＬ字形を呈するが、図８及び図９に示すように、挟み具３０は、本体２０から取り外すことが可能であるため、ベース部３１の凹み３１１の底部を本体２０の側面に押付けることも可能であり、これにより、前記挟み空間の前記軸方向を本体２０の長さ方向に平行しても可能であることにある。すなわち、挟み具３０は本体２０の長さ方向にほぼ平行してもいいし、挟み具３０と本体２０を同じ直線に位置するように直列接続してもよい。
【００２３】
次に、本実施例の使用状態を説明する。ユーザは、テーブル、フレーム、又はそれらに類似するものに、台座１０を固定して、台座１０に本体２０を定位することが可能である。そして、図１に示すように、前記挟み空間に注射器４０の蓋４３を挿入して一旦に定位して、図５に示すように、蓋４３に注射器４０の注射針４２を差し込んで定位して、注射器４０を回転することにより、注射器４０の円筒４１を注射針４２から分離すると、図６に示すように、注射針４２は蓋４３に定位される。このように、ユーザは、挟み具３０を収集容器に移動して、押圧部３２１を押圧することにより、二つの挟み部３２２が分離して前記挟み空間が拡大する。これにより、図７に示すように、蓋４３と注射針４２は前記収集容器に落下し、ユーザが注射針４２に傷付けられて感染することを防止することが可能である。
【００２４】
もちろん、図８及び図９に示すように、ユーザは、一つの手で本体２０を直接に握って、残りの手で注射器４０を操作することが可能である。このように、台座１０を設ける位置及び方向に制限されず、ユーザは便利な角度及び方向で操作を行うことが可能である。
【００２５】
特に説明したいのは、図１に示すように、本体２０は第２貫通孔１３１に挿入して第２緊迫具１３２に定位されるため、ユーザは、本体２０を必要の方向に回転して定位することが可能である。このように、挟み具３０の向き方向を調整することが可能である。
【００２６】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２７】
本考案は、注射針に適用することができる。
【符号の説明】
【００２８】
１０  台座
１１  ベース
１２  支持枠
１３  受け具
２０  本体
２１  連接平面
２２  階段面
３０  挟み具
３１  ベース部
３２  挟みアーム
３３  弾性具
３４  枢着具
３５  止め具
４０  注射器
４１  円筒
４２  注射針
４３  蓋
１１１  第１貫通孔
１１２  第１緊迫具
１３１  第２貫通孔
１３２  第２緊迫具
３１１  凹み
３１２  枢着部
３２１  押圧部
３２２  挟み部
３２３  アーム部
３５１  止め部
３２２１  凹み円弧面
【図１】
0003192815.tif 000003
【図２】
0003192815.tif 000004
【図３】
0003192815.tif 000005
【図４】
0003192815.tif 000006
【図５】
0003192815.tif 000007
【図６】
0003192815.tif 000008
【図７】
0003192815.tif 000009
【図８】
0003192815.tif 000010
【図９】
0003192815.tif 000011